(57)【要約】【課題】筐体に対して表示パネル部を精度よく位置決めすることが可能な電子機器を提供する。【解決手段】このモバイル端末装置１００（電子機器）は、表示パネル部１１と、表示パネル部１１を支持し、互いに一体的に形成された樹脂部２２および金属板２１を含む前側筐体２とを備え、金属板２１は、表示パネル部１１を収容する凹形状の絞り部２１２が形成された平面部２１１を有し、樹脂部２２は、金属板２１の少なくとも一部を覆うように形成される被覆部２２１と、凹形状の絞り部２１２の内側表面２１３ａと内側表面２１３ａに対向する表示パネル部１１の外周側面１１ａとの間に配置され、表示パネル部１１の外周側面１１ａの位置を規制する位置決めリブ２２２とを有している。【選択図】図９
2012022090.tif 000002
【特許請求の範囲】
【請求項１】
表示パネル部と、
前記表示パネル部を支持し、互いに一体的に形成された樹脂部および金属板を含む筐体とを備え、
前記金属板は、前記表示パネル部を収容する凹形状の絞り部が形成された平面部を有し、
前記樹脂部は、前記金属板の少なくとも一部を覆うように形成される被覆部と、前記凹形状の絞り部の内壁面と前記内壁面に対向する前記表示パネル部の側面との間に配置され、前記表示パネル部の側面の位置を規制する位置決め部とを有している、電子機器。
【請求項２】
前記位置決め部の前記表示パネル部の側面に対向する表面は、前記凹形状の絞り部の内壁面および底部上面の間の湾曲部よりも前記表示パネル部側に位置している、請求項１に記載の電子機器。
【請求項３】
前記位置決め部は、前記絞り部の内壁面および底部上面の間の湾曲部の曲げ半径の大きさよりも大きい厚みを有している、請求項２に記載の電子機器。
【請求項４】
前記樹脂部の被覆部は、平面的に見て前記絞り部の外側に配置されており、
前記金属板の絞り部には、前記位置決め部に対応する位置に前記被覆部側から樹脂を通過させるための開口部が形成され、
前記開口部は、前記位置決め部よりも幅寸法および高さ寸法の少なくともいずれか一方が小さくなるように形成されている、請求項１〜３のいずれか１項に記載の電子機器。
【請求項５】
前記位置決め部は、平面的に見て、略矩形形状に形成された前記表示パネル部の角部の近傍に対応する位置に複数設けられており、
前記開口部は、複数の前記位置決め部に対応する位置に複数形成されている、請求項４に記載の電子機器。
【発明の詳細な説明】
【技術分野】
【０００１】
この発明は、電子機器に関し、特に、互いに一体的に形成された樹脂部および金属板を含む筐体を備えた電子機器に関する。
【背景技術】
【０００２】
従来、互いに一体的に形成された樹脂部および金属板を含む筐体を備えた電子機器が知られている（たとえば、特許文献１参照）。
【０００３】
上記特許文献１には、液晶表示パネルと、液晶表示パネルを支持し、互いに一体的に形成された樹脂部および金属板を含むフレーム（筐体）とを備えた液晶表示装置（電子機器）が開示されている。この金属板は、平面部と、平面部の端部が垂直に折り曲げられることにより形成された側壁部とを有し、樹脂部は、側壁部の内側表面を覆うように金属板に一体的に形成されている。そして、上記特許文献１の液晶表示装置では、液晶表示パネルの側面を側壁部の内側の樹脂部に当接させることによって、液晶表示パネルの移動を規制して液晶表示パネルの位置決めを行っている。
【先行技術文献】
【特許文献】
【０００４】
【特許文献１】特開２００９−８６６３４号公報
【発明の概要】
【発明が解決しようとする課題】
【０００５】
しかしながら、上記特許文献１の液晶表示装置（電子機器）では、金属板の平面部の端部が垂直に折り曲げられることにより側壁部が形成されており、樹脂部が側壁部の内側表面を覆うように金属板に一体的に形成されているので、フレーム（筐体）の製造時において、樹脂部が硬化する際に生じる樹脂部の収縮力によって金属板の平面部が反ってしまうという不都合があると考えられる。このため、フレームが変形されてしまい、フレームに対して液晶表示パネルを精度よく位置決めすることができないという問題点があると考えられる。
【０００６】
この発明は、上記のような課題を解決するためになされたものであり、この発明の１つの目的は、筐体に対して表示パネル部を精度よく位置決めすることが可能な電子機器を提供することである。
【課題を解決するための手段および発明の効果】
【０００７】
この発明の一の局面による電子機器は、表示パネル部と、表示パネル部を支持し、互いに一体的に形成された樹脂部および金属板を含む筐体とを備え、金属板は、表示パネル部を収容する凹形状の絞り部が形成された平面部を有し、樹脂部は、金属板の少なくとも一部を覆うように形成される被覆部と、凹形状の絞り部の内壁面と内壁面に対向する表示パネル部の側面との間に配置され、表示パネル部の側面の位置を規制する位置決め部とを有している。
【０００８】
この発明の一の局面による電子機器では、上記のように、金属板の平面部に、表示パネル部を収容する凹形状の絞り部を形成することによって、金属板の平面部の反りに対する剛性が高まるので、筐体の製造時において、樹脂部が硬化する際に生じる樹脂部の収縮力により金属板の平面部が反ってしまうのを抑制することができる。これにより、筐体が変形されるのを抑制することができるので、表示パネル部を筐体に対して精度よく位置決めすることができる。さらに、樹脂部に、凹形状の絞り部の内壁面と内壁面に対向する表示パネル部の側面との間に配置され、表示パネル部の側面の位置を規制する位置決め部を設けることによって、位置決め部を、凹形状の絞り部の内壁面および底部上面の間の湾曲部よりも内側で表示パネル部の側面と当接させることができる。これにより、表示パネル部の側面が絞り部の湾曲部に乗り上げて底部上面から持ち上げられるのを抑制することができるので、表示パネル部の高さ方向の位置ずれを抑制することができる。また、金属板の絞り部の内壁面により表示パネル部を位置決めする場合とは異なり、金属板の内壁面の加工精度に拘わらず、樹脂部の位置決め部により表示パネル部を精度よく位置決めすることができる。
【０００９】
上記一の局面による電子機器において、好ましくは、位置決め部の表示パネル部の側面に対向する表面は、凹形状の絞り部の内壁面および底部上面の間の湾曲部よりも表示パネル部側に位置している。このように構成すれば、位置決め部により、表示パネル部の端部が絞り部の湾曲部まで移動されるのを防止することができるので、表示パネル部の端部が湾曲部により底部上面から持ち上げられるのを防止することができる。
【００１０】
この場合、好ましくは、位置決め部は、絞り部の内壁面および底部上面の間の湾曲部の曲げ半径の大きさよりも大きい厚みを有している。このように構成すれば、位置決め部の表示パネル部の側面に対向する表面を、容易に、絞り部の湾曲部よりも表示パネル部側に位置させることができるので、容易に、表示パネル部の端部が絞り部の湾曲部まで移動されるのを防止することができる。
【００１１】
上記一の局面による電子機器において、好ましくは、樹脂部の被覆部は、平面的に見て絞り部の外側に配置されており、金属板の絞り部には、位置決め部に対応する位置に被覆部側から樹脂を通過させるための開口部が形成され、開口部は、位置決め部よりも幅寸法および高さ寸法の少なくともいずれか一方が小さくなるように形成されている。このように構成すれば、開口部を介して被覆部側から樹脂を通過させることによって、容易に、絞り部の内側に位置決め部を形成することができる。また、開口部を、位置決め部よりも幅寸法および高さ寸法の少なくともいずれか一方が小さくなるように形成することによって、樹脂部が硬化時に収縮する場合でも、位置決め部が開口部の周囲の内壁面に当接して被覆部側に移動するのが規制されるので、位置決め部が樹脂部の収縮力により所望の位置からずれるのを抑制することができる。これにより、表示パネル部の位置決め精度を向上させることができる。
【００１２】
この場合、好ましくは、位置決め部は、平面的に見て、略矩形形状に形成された表示パネル部の角部の近傍に対応する位置に複数設けられており、開口部は、複数の位置決め部に対応する位置に複数形成されている。このように構成すれば、複数の位置決め部により、表示パネル部の角部の近傍の移動を規制して表示パネル部の移動を有効に規制することができるので、表示パネル部の位置決め精度をより向上させることができる。
【図面の簡単な説明】
【００１３】
【図１】本発明の一実施形態によるモバイル端末装置の全体構成を示した斜視図である。
【図２】本発明の一実施形態によるモバイル端末装置の全体構成を示した分解斜視図である。
【図３】本発明の一実施形態によるモバイル端末装置の前側筐体による表示パネル部の支持状態を示した斜視図である。
【図４】本発明の一実施形態によるモバイル端末装置の前側筐体を示した斜視図である。
【図５】本発明の一実施形態によるモバイル端末装置の前側筐体の金属板を示した斜視図である。
【図６】本発明の一実施形態によるモバイル端末装置の前側筐体の金属板に設けられた開口部を示した部分断面図である。
【図７】本発明の一実施形態によるモバイル端末装置の前側筐体の位置決めリブを示した平面図である。
【図８】本発明の一実施形態によるモバイル端末装置の前側筐体の位置決めリブを絞り部の内側から見た場合の正面図である。
【図９】図７の２００−２００線に沿った断面図である。
【図１０】図７の３００−３００線に沿った断面図である。
【図１１】本発明の一実施形態によるモバイル端末装置の前側筐体の樹脂部を示した斜視図である。
【発明を実施するための形態】
【００１４】
以下、本発明を具体化した実施形態を図面に基づいて説明する。
【００１５】
まず、図１〜図１１を参照して、本発明の一実施形態によるモバイル端末装置１００の構成について説明する。なお、本実施形態では、本発明の電子機器をモバイル端末装置１００に適用した場合について説明する。
【００１６】
本発明の一実施形態によるモバイル端末装置１００は、図１に示すように、平面的に見て、縦寸法（Ｙ方向の寸法）約１２０ｍｍ、横寸法（Ｘ方向の寸法）約８０ｍｍの略矩形形状に形成されている。また、モバイル端末装置１００の正面には、略矩形形状の表示部１が配置されている。また、表示部１の周囲は、前側筐体２により取り囲まれている。なお、前側筐体２は、本発明の「筐体」の一例である。
【００１７】
表示部１は、図２に示すように、表示パネル部１１と、カバー部１２とにより主として構成されている。表示パネル部１１は、液晶表示部１１１と液晶表示部１１１を取り囲むように設けられた縁部１１２とを含んでいる。液晶表示部１１１は、図示しない制御部により制御されて画像を表示するように構成されている。また、表示パネル部１１は、約２．５ｍｍの厚みｔ１（図１０参照）を有している。
【００１８】
カバー部１２は、ガラス材からなり、図２に示すように、透光部１２１と透光部１２１を取り囲むように設けられた遮光部１２２とを含んでいる。また、カバー部１２は、後述する樹脂部２２の被覆部２２１により形成される枠部２２ａに嵌め込まれるように構成されている。また、透光部１２１は、液晶表示部１１１と略同形状に形成されており、液晶表示部１１１に表示される画像を視認可能に透光させることが可能である。また、遮光部１２２は、表示パネル部１１の液晶表示部１１１以外の部分を覆い隠すように設けられている。具体的には、遮光部１２２は、表示パネル部１１の縁部１１２と表示パネル部１１の周囲に配置される前側筐体２の後述する金属板２１とを覆い隠すように構成されている。また、カバー部１２は、液晶表示部１１１に不純物が付着したり損傷を受けたりするのを防止するために設けられている。また、カバー部１２は、遮光部１２２の裏面に配置される図示しない両面テープにより、表示パネル部１１の縁部１１２および縁部１１２の周囲の金属板２１に固定されるように構成されている。また、表示パネル部１１とカバー部１２との間には、図示しないスポンジからなる弾性部材が挟み込まれている。これにより、表示パネル部１１が前側筐体２とカバー部１２との間でがたつくのを抑制することが可能である。
【００１９】
前側筐体２は、表示パネル部１１を支持する機能を有している。また、前側筐体２は、モバイル端末装置１００の正面側（Ｚ１方向側）に配置されており、モバイル端末装置１００の背面側（Ｚ２方向）には、図示しない後ろ側筐体が設けられている。モバイル端末装置１００の制御基板は、前側筐体２の背面側で後ろ側筐体に覆われる位置に配置されている。
【００２０】
ここで、本実施形態では、前側筐体２は、互いに一体的に形成された金属板２１および樹脂部２２を含んでいる。すなわち、前側筐体２は、金属板２１をインサート品とするインサート成形により形成されている。以下、金属板２１および樹脂部２２の詳細な構成について説明する。
【００２１】
金属板２１は、約０．４ｍｍの厚みｔ２（図１０参照）を有し、平面的に見て、全体として略矩形形状に形成されている。また、金属板２１は、図２〜図５に示すように、凹形状の絞り部２１２が形成された平面部２１１を有している。絞り部２１２は、背面側（Ｚ２方向）に向かって突出するように形成されている。また、絞り部２１２は、図２に示すように、平面的に見て、略矩形形状に形成されている。具体的には、絞り部２１２は、図２および図３に示すように、表示パネル部１１を収容するように構成されており、表示パネル部１１の外形形状に対応する形状に形成されている。また、絞り部２１２は、図３〜図５に示すように、壁部２１３および底部２１４により構成されている。壁部２１３は、底部２１４に対して略垂直に形成されている。また、絞り部２１２は、表示パネル部１１の厚みと略同じ約２．５ｍｍの深さＤ（図８参照）に形成されている。また、絞り部２１２の後述する位置決めリブ２２２に対応する位置には、図５に示すように、開口部２１２ａが設けられている。開口部２１２ａは、位置決めリブ２２２に対応するように８つ設けられている。各開口部２１２ａは、略矩形形状を有しており、図５および図６に示すように、壁部２１３から底部２１４に延びるように形成されている。具体的には、開口部２１２ａは、壁部２１３から壁部２１３の内側表面２１３ａと底部２１４の上側表面２１４ａとの間の湾曲部２１５を越えて延びるように形成されている。なお、内側表面２１３ａは、本発明の「内壁面」の一例であり、上側表面２１４ａは、本発明の「底部上面」の一例である。また、開口部２１２ａは、後述するように、位置決めリブ２２２よりも幅寸法および高さ寸法が小さくなるように構成されている。詳細には、開口部２１２ａは、図７および図８に示すように、約１．５ｍｍの幅Ｗ１および約１．５ｍｍの高さＨ１（図８参照）を有している。また、底部２１４には、図２に示すように、表示パネル部１１に接続されるフレキシブルケーブルを底部２１４の背面側（Ｚ２方向側）に通すための略矩形形状の電気接続孔２１４ｂが形成されている。
【００２２】
また、金属板２１は、図３〜図５に示すように、平面部２１１の端部が背面側（Ｚ２方向）に向かって略垂直に折り曲げられることによって形成された垂直部２１６をさらに有している。垂直部２１６は、略矩形形状の金属板２１の４辺全てに形成されている。この４辺に設けられた垂直部２１６により、金属板２１の反りに対する剛性が高められている。
【００２３】
樹脂部２２は、図２、図４、図９および図１０に示すように、金属板２１の垂直部２１６を覆うように形成された被覆部２２１と、位置決めリブ２２２とを有している。被覆部２２１は、平面的に見て、絞り部２１２の外側に設けられている。また、被覆部２２１は、金属板２１の垂直部２１６全体を覆っている。これにより、一体的に形成される金属板２１と樹脂部２２とが強固に連結される。なお、位置決めリブ２２２は、本発明の「位置決め部」の一例である。
【００２４】
ここで、本実施形態では、位置決めリブ２２２は、図２に示すように、表示パネル部１１の４つの角部のそれぞれの近傍に２つずつ設けられている。具体的には、２つの位置決めリブ２２２は、平面的に見て、表示パネル部１１の角部を挟み込む位置に配置されている。また、８つの位置決めリブ２２２は、互いに同じ形状を有している。また、位置決めリブ２２２は、絞り部２１２の内側に設けられている。また、位置決めリブ２２２は、図４に示すように、壁部２１３の内側表面２１３ａ上に設けられ、図７、図９および図１０に示すように、内側表面２１３ａと表示パネル部１１の外周側面１１ａとの間に配置されている。なお、外周側面１１ａは、本発明の「側面」の一例である。また、位置決めリブ２２２は、表示パネル部１１が壁部２１３側に移動するのを規制するために設けられている。また、８つの位置決めリブ２２２は、表示パネル部１１が絞り部２１２に収容された状態で、表示パネル部１１の外周側面１１ａに当接するように構成されている。これにより、表示パネル部１１が壁部２１３側に移動するのをより確実に規制することが可能である。
【００２５】
また、位置決めリブ２２２の表示パネル部１１側の表面２２２ａは、図１０に示すように、湾曲部２１５よりも表示パネル部１１側（壁部２１３から離間する方向側）に位置するように構成されている。詳細には、位置決めリブ２２２は、湾曲部２１５の曲げ半径ｒ（約０．３ｍｍ）よりも大きい厚みｔ３を有している。また、位置決めリブ２２２の表示パネル部１１側の表面２２２ａは、絞り部２１２の底部２１４の上側表面２１４ａに対して略垂直になるように形成されている。また、位置決めリブ２２２は、図７および図８に示すように、対応する開口部２１２ａの約１．５ｍｍの幅Ｗ１よりも大きい約２．０ｍｍの幅Ｗ２を有している。また、位置決めリブ２２２は、図８に示すように、対応する開口部２１２ａの約１．５ｍｍの高さＨ１よりも大きい約２．０ｍｍの高さＨ２を有している。そして、位置決めリブ２２２は、絞り部２１２の内側から見て、対応する開口部２１２ａの全体を覆うように配置されている。これにより、位置決めリブ２２２は、開口部２１２ａの周囲の壁部２１３により、絞り部２１２の外側方向（被覆部２２１側の方向）に移動するのが規制される。また、位置決めリブ２２２は、図９〜図１１に示すように、開口部２１２ａ（図９参照）を介して金属板２１の背面側（Ｚ２方向側）に位置する連結部２２３と一体的に形成されており、連結部２２３は被覆部２２１に連結されている。また、図９に示すように、樹脂部２２の位置決めリブ２２２および連結部２２３は、金属板２１の開口部２１２ａの周囲の部分を挟み込むように構成されている。
【００２６】
本実施形態では、上記のように、金属板２１の平面部２１１に、表示パネル部１１を収容する凹形状の絞り部２１２を形成することによって、金属板２１の平面部２１１の反りに対する剛性が高まるので、前側筐体２の製造時において、樹脂部２２が硬化する際に生じる樹脂部２２の収縮力により金属板２１の平面部２１１が反ってしまうのを抑制することができる。これにより、前側筐体２が変形されるのを抑制することができるので、表示パネル部１１を前側筐体２に対して精度よく位置決めすることができる。さらに、樹脂部２２に、凹形状の絞り部２１２の内側表面２１３ａと内側表面２１３ａに対向する表示パネル部１１の外周側面１１ａとの間に配置され、表示パネル部１１の外周側面１１ａの位置を規制する位置決めリブ２２２を設けることによって、位置決めリブ２２２を、絞り部２１２の湾曲部２１５よりも内側で表示パネル部１１の側面と当接させることができる。これにより、表示パネル部１１の外周側面１１ａが絞り部２１２の湾曲部２１５に乗り上げて底部２１４の上側表面２１４ａから持ち上げられるのを抑制することができるので、表示パネル部１１の高さ方向（Ｚ方向）の位置ずれを抑制することができる。また、金属板２１の絞り部２１２の内側表面２１３ａにより表示パネル部１１を位置決めする場合とは異なり、金属板２１の内側表面２１３ａの加工精度に拘わらず、樹脂部２２の位置決めリブ２２２により表示パネル部１１を精度よく位置決めすることができる。
【００２７】
また、本実施形態では、位置決めリブ２２２の表示パネル部１１の外周側面１１ａに対向する表面２２２ａを、凹形状の絞り部２１２の湾曲部２１５よりも表示パネル部１１側に位置するように構成することによって、位置決めリブ２２２により、表示パネル部１１の端部が絞り部２１２の湾曲部２１５まで移動されるのを防止することができるので、表示パネル部１１の端部が湾曲部２１５により底部２１４の上側表面２１４ａから持ち上げられるのを防止することができる。
【００２８】
また、本実施形態では、位置決めリブ２２２を、絞り部２１２の湾曲部２１５の曲げ半径ｒの大きさよりも大きい厚みｔ３を有するように構成することによって、位置決めリブ２２２の表示パネル部１１の外周側面１１ａに対向する表面２２２ａを、容易に、絞り部２１２の湾曲部２１５よりも表示パネル部１１側に位置させることができるので、容易に、表示パネル部１１の端部が絞り部２１２の湾曲部２１５まで移動されるのを防止することができる。
【００２９】
また、本実施形態では、樹脂部２２の被覆部２２１を、平面的に見て絞り部２１２の外側に配置し、金属板２１の絞り部２１２に、位置決めリブ２２２に対応する位置に被覆部２２１側から樹脂を通過させるための開口部２１２ａを形成するとともに、開口部２１２ａを、位置決めリブ２２２よりも幅寸法および高さ寸法が小さくなるように形成することによって、開口部２１２ａを介して被覆部２２１側から樹脂を通過させることによって、容易に、絞り部２１２の内側に位置決めリブ２２２を形成することができる。また、開口部２１２ａを、位置決めリブ２２２よりも幅寸法および高さ寸法が小さくなるように形成することによって、樹脂部２２が硬化時に収縮する場合でも、位置決めリブ２２２が開口部２１２ａの周囲の内側表面２１３ａに当接して被覆部２２１側に移動するのが規制されるので、位置決めリブ２２２が樹脂部２２の収縮力により所望の位置からずれるのを抑制することができる。これにより、表示パネル部１１の位置決め精度を向上させることができる。
【００３０】
また、本実施形態では、位置決めリブ２２２を、平面的に見て、略矩形形状に形成された表示パネル部１１の角部の近傍に対応する位置に複数設け、開口部２１２ａを、複数の位置決めリブ２２２に対応する位置に複数形成することによって、複数の位置決めリブ２２２により、表示パネル部１１の角部の近傍の移動を規制して表示パネル部１１の移動を有効に規制することができるので、表示パネル部１１の位置決め精度をより向上させることができる。
【００３１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３２】
たとえば、上記実施形態では、電子機器の一例として、モバイル端末装置を示したが、本発明はこれに限られない。本発明では、たとえば、ＰＣ（パーソナルコンピュータ）のモニタなど、モバイル端末装置以外の電子機器であってもよい。
【００３３】
また、上記実施形態では、樹脂部の被覆部により、金属板の垂直部全体を覆うように構成する例を示したが、本発明はこれに限られない。本発明では、樹脂部の被覆部により、金属板の少なくとも一部を覆う構成であればよく、金属板の垂直部の一部だけを覆う構成であってもよい。
【００３４】
また、上記実施形態では、表示パネル部が絞り部に収容された状態で、位置決め部としての８つの位置決めリブが表示パネル部の外周側面に当接する構成の例を示したが、本発明はこれに限られない。本発明では、位置決め部が内壁面（内側表面）と表示パネル部の側面（外周側面）との間に配置されていれば、表示パネル部が絞り部に収容された状態で、複数の位置決め部のうちのいくつかだけが表示パネル部の側面に当接する構成であってもよいし、複数の位置決め部のいずれも表示パネル部の側面に当接しない構成であってもよい。
【００３５】
また、上記実施形態では、金属板の開口部を略矩形形状に形成する例を示したが、本発明はこれに限られない。本発明では、開口部を、たとえば円形形状や楕円形状など、矩形形状以外の形状に形成してもよい。
【００３６】
また、上記実施形態では、金属板の開口部を、位置決めリブ（位置決め部）よりも幅寸法および高さ寸法の両方が小さくなるように形成する例を示したが、本発明はこれに限られない。本発明では、開口部を、位置決めリブ（位置決め部）よりも幅寸法が小さく、高さ寸法が大きくなるように形成してもよいし、位置決めリブ（位置決め部）よりも高さ寸法が小さく、幅寸法が大きくなるように形成してもよい。
【符号の説明】
【００３７】
２  前側筐体（筐体）
１１  表示パネル部
１１ａ  外周側面（側面）
２１  金属板
２２  樹脂部
１００  モバイル端末装置（電子機器）
２１１  平面部
２１２  絞り部
２１２ａ  開口部
２１３ａ  内側表面（内壁面）
２１４ａ  上側表面（底部上面）
２１５  湾曲部
２２１  被覆部
２２２  位置決めリブ（位置決め部）
【図１】
2012022090.tif 000003
【図２】
2012022090.tif 000004
【図３】
2012022090.tif 000005
【図４】
2012022090.tif 000006
【図５】
2012022090.tif 000007
【図６】
2012022090.tif 000008
【図７】
2012022090.tif 000009
【図８】
2012022090.tif 000010
【図９】
2012022090.tif 000011
【図１０】
2012022090.tif 000012
【図１１】
2012022090.tif 000013